(57)【要約】      （修正有）【課題】高い通気性や保温性を確保しつつ、使用者に対する支持力の変化に容易に対応する敷き布団を提供する。【解決手段】略同一面上に整列させられる複数の直方体状の芯体２と、これらの芯体を包み込んで、これらの芯体の整列状態を保持する外カバー３とからなり、前記各芯体が、合成樹脂繊維からなる三次元網構造体の空隙内に羽毛と羽根の少なくとも一方を充填して構成されている。【選択図】図１
0003197717.tif 000002
【実用新案登録請求の範囲】
【請求項１】
略同一面上に整列させられる複数の直方体状の芯体と、これらの芯体を包み込んで、これらの芯体の整列状態を保持する外カバーとからなり、前記各芯体が、合成樹脂繊維からなる三次元網構造体の空隙内に羽毛と羽根の少なくとも一方を充填して構成されていることを特徴とする敷き布団。
【請求項２】
前記外カバーが袋状に形成されているとともに、その下部に開口部が形成され、この開口部を介して、整列状態にある前記複数の芯体にその上方から被せることにより、これら複数の芯体の上面および周側面を覆って、これらの芯体を整列状態に保持するようになされていることを特徴とする請求項１に記載の敷き布団。
【請求項３】
前記外カバーが袋状に形成されているとともに、その側部に開口部が形成され、この開口部から前記各芯体を面方向に順次挿入することにより、これら複数の芯体の全面を覆って、これらの芯体を整列状態に保持するようになされていることを特徴とする請求項２に記載の敷き布団。
【請求項４】
前記開口部が、この開口部に設けられたファスナーによって開閉可能に構成されていることを特徴とする請求項３に記載の敷き布団。
【請求項５】
前記外カバーが、挿入された前記複数の芯体よりも長く形成され、この余長部の先端に前記開口部が形成されているとともに、この余長部を折り畳むことにより、前記開口部を閉じるようになされていることを特徴とする請求項３に記載の敷き布団。
【考案の詳細な説明】
【技術分野】
【０００１】
本考案は、敷き布団に係わり、特に、軽量で保温効果が高く通気性に優れた羽毛若しくは羽根を用いた敷き布団に関するものである。
【背景技術】
【０００２】
一般に、羽毛又は羽根を充填した布団は、軽量で保温効果が高く、かつ汗を吸収、発散させるという優れた機能を有していることが知られている。
【０００３】
ところで、羽毛や羽根を敷き布団に使用する場合においては、柔らかすぎて身体が沈みやすく就寝時の姿勢を正しく保持しにくいといった問題がある。
【０００４】
このような問題に対処すべく、従来では、たとえば特許文献１に示されるように、第一布団層と第二布団層との間に中間層を有する多層構造敷き布団において、升目状に立体キルティングされた側地内に羽毛および／または羽根を充填した第一布団層と第二布団層との間に形成される中間層に、羽毛および／または羽根が充填された三次元網構造体からなる芯材が配置されており、該羽毛および／または羽根が、前記三次元網構造体からなる芯材の内部に混在されている多層構造羽毛敷き布団が提案されている。
【先行技術文献】
【特許文献】
【０００５】
【特許文献１】特開２０００−２０１７７８号公報
【考案の概要】
【考案が解決しようとする課題】
【０００６】
前述した従来の技術により、羽毛や羽根を敷き布団に適用する場合の問題を解消することが期待できるが、なお、つぎのような解決すべき問題点が残されている。
【０００７】
従来の技術では、二つの布団層の間に中間層を設けた構造とし、前記中間層によって前記敷き布団のクッション性を確保している。
しかしながら、敷き布団の使用者は、敷き布団のほぼ決まった範囲に、ほぼ決まった姿勢で使用することが殆どであり、このような使用形態に基づいた不具合が想定される。
【０００８】
すなわち、前述した使用形態では、前記敷き布団に、使用者の体格等による特有の圧力分布に基づいた負荷が継続して作用し、敷き布団の部位によっては、大きな負荷が継続的にかかってしまう。
【０００９】
そして、高負荷が特定の部位に継続して作用すると、その部位に対応した前記中間層を構成する三次元網構造体にも高負荷が継続して作用するとともに、高負荷であることによりその変形量が大きく、これによって、この三次元網構造体に部分的なへたりを生じさせてしまう。
【００１０】
このへたりは、使用者に対する支持力を変化させて寝心地を損ねる要因となる。
一方、前述したへたりは、負荷をある期間開放しておくと、三次元網構造体の弾性により回復することが想定される。
しかしながら、前述したように、使用者の使用形態がほぼ一定であることから、敷き布団にかかる圧力分布もほぼ一定に保持されることから、特定部位の負荷を長期にわたって開放することは困難であり、したがって、前記へたりを解消することが難しい。
【００１１】
本考案は、前述した従来の技術において残されている問題点に鑑みてなされたもので、敷き布団に羽毛若しくは羽根を用いることによって得られる利点を確保しつつ、使用者に対する支持力の変化に容易に対応することのできる敷き布団を提供することを解決課題とする。
【課題を解決するための手段】
【００１２】
本考案の敷き布団は、前述した課題を解決するために、略同一面上に整列させられる複数の直方体状の芯体と、これらの芯体を包み込んで、これらの芯体の整列状態を保持する外カバーとからなり、前記各芯体が、合成樹脂繊維からなる三次元網構造体の空隙内に羽毛と羽根の少なくとも一方を充填して構成されていることを特徴とする。
【００１３】
このような構成とすることにより、使用者は、敷き布団上に横たわると、体の下部が、前記各芯体を構成する前記羽毛や羽根に対峙させられ、この羽毛や羽根の、高い通気性や保温性といった特性により、優れた寝心地を得ることができる。
【００１４】
一方、使用者の体重は、前記芯体を構成する前記三次元網構造体の弾性によって支持され、使用者に適度な支持力が与えられるとともに、前記羽毛や羽根が押し潰されることによる機能低下が抑制される。
したがって、この点からも優れた寝心地が得られる。
【００１５】
また、前記三次元網構造体が多くの孔を有し、その通気性が極めて高いことから、前述したように、前記羽毛や羽根が押し潰されることが防止されることと相俟って、前記羽毛や羽根の特性を損なうことはない。
【００１６】
一方、使用の継続によって、前記芯体に、使用者特有の圧力分布による負荷が継続してかかり、長期の使用により、前記芯体の特定部位にへたりが生じることが想定される。
【００１７】
このようにへたりが生じた場合、前記複数の芯体を前記外カバーから取り出し、これらの芯体の組み合わせを変更して、へたりが生じている芯体の位置を変更し、この位置変更した状態を保持しつつ、これらの芯体を前記外カバー内に再配置する。
【００１８】
これによって、へたりが生じた芯体を、高負荷がかかる部位から離し、この高負荷がかかる部位に、へたりが生じていない芯体を位置させて使用に供する。
【００１９】
このような芯体の位置変更により、高負荷がかかる部位における使用者の支持力が回復し、寝心地が確保される。
【００２０】
また、へたりが生じた芯体への負荷が軽減若しくは開放された状態に保持されることになり、へたりが改善される。
【００２１】
本考案では、前記外カバーが袋状に形成されているとともに、その下部に開口部が形成され、この開口部を介して、整列状態にある前記複数の芯体にその上方から被せることにより、これら複数の芯体の上面および周側面を覆って、これらの芯体を整列状態に保持するように構成することができる。
【００２２】
このような構成とすることにより、前記外カバーを、整列状態にある複数の芯体に上方から着脱することによって前記芯体の包み込みや取り出しを行なうことができる。
【００２３】
したがって、前記芯体の配列の組み替え時等における作業を簡便なものとすることができる。
【００２４】
また、前記外カバーが袋状に形成されているとともに、その側部に開口部が形成され、この開口部から前記各芯体を面方向に順次挿入することにより、これら複数の芯体の全面を覆って、これらの芯体を整列状態に保持するような構成とすることができる。
【００２５】
このような構成とすることにより、配列された複数の芯体を、その全面を覆って包み込むことができ、これによって、複数の芯体相互のずれを効果的に防止することができる。
【００２６】
そして、前記開口部を、この開口部に設けられたファスナーによって開閉可能な構成とすることができ、さらに、前記外カバーを、挿入された前記複数の芯体よりも長く形成しておき、この余長部の先端に前記開口部を形成し、この余長部を折り畳むことにより、前記開口部を閉じるようにすることもできる。
【００２７】
これらの何れにおいても、前記開口部の開閉を容易なものとし、前述した外カバーの配列組み替え作業を簡便なものとすることができる。
【考案の効果】
【００２８】
本考案の敷き布団によれば、使用者に、各芯体を構成する羽毛や羽根に対峙させて、この羽毛や羽根の高い通気性や保温性といった有用な特性を提供することができ、また、前記芯体を構成する三次元網構造体の弾性によって使用者に適度な支持力を与えて、使用者の過度の沈み込みを防止するとともに、前記羽毛や羽根が押し潰されるのを防止することができ、これらの相乗作用により優れた寝心地を提供することができる。
また、前記芯体にへたりが生じた場合には、複数の芯体の配列を変更することにより、前記へたりの位置を移動させてこのへたりへかかる負荷を軽減し、これによって、使用者に与える支持力の変化を抑制しつつ、前記へたりを回復させることができる。
【図面の簡単な説明】
【００２９】
【図１】本考案の第１の実施形態を示す外観斜視図である。
【図２】本考案の第１の実施形態を示すもので、芯体を構成する三次元網構造体の一部の拡大図である。
【図３】本考案の第１の実施形態を示すもので、芯体の一部の拡大図である。
【図４】本考案の第１の実施形態を示すもので、芯体の外観斜視図である。
【図５】本考案の第１の実施形態を示すもので、使用状態を示す外観斜視図である。
【図６】本考案の第１の実施形態を示すもので、芯体の整列変更の手順を示す外観斜視図である。
【図７】本考案の第１の実施形態を示すもので、芯体の整列変更後の状態を示す外観斜視図である。
【図８】本考案の第２の実施形態を示す分解斜視図である。
【図９】本考案の第３の実施形態を示す外観斜視図である。
【図１０】本考案の第４の実施形態を示す芯体の外観斜視図である。
【考案を実施するための形態】
【００３０】
以下、本考案の第１の実施形態を、図面を参照して説明する。
図１において、符号１は、本実施形態に係わる敷き布団を示し、この敷き布団１は、略同一面上に整列させられる複数の直方体状の芯体２と、これらの芯体２を包み込んで、これらの芯体２の整列状態を保持する外カバー３とによって構成されている。
【００３１】
前記各芯体２は、合成樹脂繊維からなる三次元網構造体２ａ（図２参照）の空隙内に羽毛と羽根の少なくとも一方（以下、羽毛２ｂと総称する）を充填して構成されている（図３参照）。
【００３２】
好ましくは、前記各芯体２を、図３に示すように、布や不織布等の内カバー４で包み込んで、前記羽毛２ｂの飛散を防止するようにする。
【００３３】
前記外カバー３が袋状に形成されているとともに、その側部に開口部３ａが形成され、この開口部３ａから前記各芯体２が面方向に沿って出し入れされるようになっている。
【００３４】
さらに、前記開口部３ａにはファスナー５が装着されており、このファスナー５によって、前記開口部３ａが開閉可能となされている。
【００３５】
本実施形態に係わる敷き布団１は、前記外カバー３の開口部３ａを、前記ファスナー５を操作して開放しておき、この開口部３ａから、複数の前記芯体２を順次面方向に沿って入れ込み、ついで、前記ファスナー５を閉じることによって前記開口部３ａを閉じて組み上げられる。
【００３６】
ここで、複数の芯体２は、隣接する芯体２の側面どうしが当接させられて、全体として大きな直方体を形成している。
また、これらの複数の芯体２は、その全面を前記外カバー３によって覆われることにより、前述した整列状態が崩れることなく保持される。
これによって、本実施形態の敷き布団１が得られる。
【００３７】
このように構成された本実施形態に係わる敷き布団１にあっては、使用者が横臥した状態において、使用者の体重が、前記芯体２を構成する三次元網構造体２ａによって支持される。
【００３８】
ここで、前記三次元網構造体２ａの弾発力により使用者の沈み込み量が調整されて、過度の沈み込みが抑制される。
したがって、前記芯体２内に充填されている羽毛２ｂが押し潰されることはなく、この羽毛２ｂの特性が十分に発揮される。
【００３９】
このように、前記羽毛２ｂの特性が十分に引き出されることと、使用者へ適切な支持力が与えられることにより、良好な寝心地を実現することができる。
【００４０】
一方、本実施形態の敷き布団１にあっても、使用者の体格等に基づき、特定の部位に負荷が集中する。
【００４１】
たとえば、使用者の腰部が接触する部位に負荷が集中しやすいが、長期の使用により、前記芯体２の腰部が接触する部位に、図４に示すように、へたりＷが生じることが想定される。
【００４２】
このようにへたりＷが生じてしまうと、前記芯体２による使用者に対する支持力が変化し、寝心地の悪化に繋がるおそれがある。
【００４３】
しかしながら、本実施形態においては、このような不具合を、つぎの手順によって回避することができる。
【００４４】
まず、図５に示すように、前記ファスナー５を操作して前記外カバー３の開口部３ａを開放し、前記外カバー３から前記芯体２を引き出す。
【００４５】
これより、図６に示すように、前記へたりＷが生じた芯体２と他の芯体２とを入れ替えるように配置変更し、これらの芯体２を、更された配置関係を保持した状態で、前記外カバー３内に再挿入して前記ファスナー５を閉じる。
【００４６】
ここで、足下に配置されている芯体２にかかる負荷が比較的少なく、この芯体２のへたりが少ないことから、図示例では、へたりＷが生じた芯体２を、足下の芯体２と入れ替える配置変更としている（図６および図７参照）。
【００４７】
前述した芯体２の配置変更により、大きな負荷がかかる腰部に対峙させられる位置に、へたりのない芯体２を位置させたから、使用者に適切な支持力を与えることができ、本来の寝心地を回復することができる。
【００４８】
一方、へたりＷが生じた芯体２は、比較的負荷の小さい足下に配置されることから、前記へたりＷへの負荷が軽減ないしは解放される。
これによって、前記芯体２を構成する前記三次元網構造体２ａ自体の弾性による復元力と、その内部に充填されている前記羽毛２ｂの復元力が働き、前記へたりＷが消滅する。
【００４９】
このように、本実施形態に係わる敷き布団１にあっては、へたりが生じたとしても、前記芯体２の配置を変更することにより、使用者へ与える支持力の変化を抑制し、当初の寝心地を回復することができる。
【００５０】
なお、前記実施形態において示した各構成部材の諸形状や寸法等は一例であって、設計要求等に基づき種々変更可能である。
たとえば、図８に示す第２の実施形態のように、外カバー３０を袋状に形成するとともに、その下部に開口部３０ａを形成し、この開口部３０ａを介して、整列状態にある前記複数の芯体２にその上方から被せることにより、これら複数の芯体２の上面および周側面を覆って、これらの芯体を整列状態に保持するようにすることもできる。
【００５１】
また、図９に示す第３の実施形態のように、外カバー４０を、挿入された前記複数の芯体２よりも長く形成し、この余長部４０ｂの先端に開口部４０ａを形成しておき（図９（ａ）参照）、この余長部４０ｂを折り畳むことにより（図９（ｂ）参照）、前記開口部４０ａを閉じるようにすることもできる。
【００５２】
さらに、前記芯体２の数は、前記各実施形態に示した３個に限定されるものではなく、たとえば、図１０に示すように、６個であってもよく、その数は任意である。
【符号の説明】
【００５３】
１  敷き布団
２  芯体
２ａ  三次元網構造体
２ｂ  羽毛
３・３０・４０  外カバー
３ａ・３０ａ・４０ａ  開口部
４０ｂ  余長部
４  内カバー
５  ファスナー
Ｗ  へたり
【図１】
0003197717.tif 000003
【図２】
0003197717.tif 000004
【図３】
0003197717.tif 000005
【図４】
0003197717.tif 000006
【図５】
0003197717.tif 000007
【図６】
0003197717.tif 000008
【図７】
0003197717.tif 000009
【図８】
0003197717.tif 000010
【図９】
0003197717.tif 000011
【図１０】
0003197717.tif 000012
【手続補正書】
【提出日】平成27年3月20日(2015.3.20)
【手続補正１】
【補正対象書類名】実用新案登録請求の範囲
【補正対象項目名】請求項３
【補正方法】変更
【補正の内容】
【請求項３】
前記外カバーが袋状に形成されているとともに、その側部に開口部が形成され、この開口部から前記各芯体を面方向に順次挿入することにより、これら複数の芯体の全面を覆って、これらの芯体を整列状態に保持するようになされていることを特徴とする請求項１に記載の敷き布団。